(57)【特許請求の範囲】
【請求項１】
所定の符号化単位をもって符号化され、記録媒体に記録された記録情報の第１の範囲と第２の範囲を接続して再生可能な記録媒体再生装置において、
前記第１の範囲の後部の記録情報をデコード処理するサブデコーダ手段と、
前記後部を除く前記第１の範囲の記録情報および前記第２の範囲の記録情報をデコード処理するメインデコーダ手段と、
を備えることを特徴とする記録媒体再生装置。
【請求項２】
前記サブデコーダは、前記メインデコーダが前記第１の範囲の記録情報をデコード処理している間に、前記第１の範囲の後部の記録情報を直ちにデコード処理できるよう待機状態とされ、
前記メインデコーダは、前記サブデコーダが前記第１の範囲の後部の記録情報のデコード処理を行っている間に、前記第２の範囲の記録情報を直ちにデコード処理できるよう待機状態とされることを特徴とする請求項１記載の記録媒体再生装置。
【請求項３】
所定の符号化単位をもって符号化され、記録媒体に記録された記録情報の第１の範囲と第２の範囲を接続して再生可能な記録媒体再生装置において、
前記第２の範囲の前部の記録情報をデコード処理するサブデコーダ手段と、
前記第１の範囲の記録情報および前記前部を除く前記第２の範囲の記録情報をデコード処理するメインデコーダ手段と、
を備えることを特徴とする記録媒体再生装置。
【請求項４】
前記サブデコーダは、前記メインデコーダが前記第１の範囲の記録情報をデコード処理している間に、前記第２の範囲の前部の記録情報を直ちにデコード処理できるよう待機状態とされ、
前記メインデコーダは、前記サブデコーダが前記第２の範囲の前部の記録情報のデコード処理を行っている間に、前記前部に続く前記第２の範囲の記録情報を直ちにデコード処理できるよう待機状態とされることを特徴とする請求項３記載の記録媒体再生装置。
【請求項５】
前記記録情報を前記記録媒体に記録する記録手段を備え、前記サブデコーダは記録時に前記記録情報を前記所定の符号化単位をもってデコードするエンコーダとして機能することを特徴とする請求項１乃至４の何れか一に記載の記録媒体再生装置。
【請求項６】
コンピュータを、所定の符号化単位をもって符号化され、記録媒体に記録された記録情報の第１の範囲と第２の範囲を接続して再生可能な記録媒体再生装置として機能させることを特徴とする制御プログラムが前記コンピュータで読取可能に記録されている情報記録媒体において、
前記コンピュータを、
前記第１の範囲の後部の記録情報をデコード処理するサブデコーダ手段と、
前記後部を除く前記第１の範囲の記録情報および前記第２の範囲の記録情報をデコード処理するメインデコーダ手段と、
して機能させることを特徴とする制御プログラムが前記コンピュータで読取可能に記録されている情報記録媒体。
【請求項７】
コンピュータを、所定の符号化単位をもって符号化され、記録媒体に記録された記録情報の第１の範囲と第２の範囲を接続して再生可能な記録媒体再生装置として機能させることを特徴とする制御プログラムが前記コンピュータで読取可能に記録されている情報記録媒体において、
前記コンピュータを、
前記第２の範囲の前部の記録情報をデコード処理するサブデコーダ手段と、
前記第１の範囲の記録情報および前記前部を除く前記第２の範囲の記録情報をデコード処理するメインデコーダ手段と、
して機能させることを特徴とする制御プログラムが前記コンピュータで読取可能に記録されている情報記録媒体。
【発明の詳細な説明】
【０００１】
【産業上の利用分野】
本発明は、記録媒体に記録された記録情報の再生が可能な記録媒体再生装置に関し、特に記録媒体に記録された記録情報の内、指定された第１の範囲と第２の範囲を接続して再生可能な記録媒体再生装置、および情報記録媒体に関する。
【０００２】
【従来の技術】
近年、マルチメディア技術の進展に伴い、デジタル化された映像情報を大量に記録でき、またランダムアクセスが容易なことから光学式記録媒体が注目されている。この記録媒体としては、情報の追加記録が可能な追記型光ディスクであるＤＶＤ−Ｒ（DVD Recordable）、記録した情報に対する書換えが可能な書換え型光ディスクであるＤＶＤ−ＲＷ（DVD Re-recordable）やＤＶＤ−ＲＡＭ（DVD Re-writable）等が実用化されている。これら記録媒体によれば、映像信号は動画像の圧縮伸長方式として代表的なＭＰＥＧ（Moving Picture Expert Group）方式により圧縮・符号化されて記録されている。
【０００３】
なお、ＭＰＥＧ方式の符号化技術は、符号化したい画像と当該画像に対して時間的に先行する参照画像との差分情報と、マクロブロック単位の動きベクトルとを可変長符号化することにより、膨大な情報量である動画像情報を高能率に圧縮することが可能な符号化技術である。
【０００４】
一方、これら記録媒体を取扱う記録再生装置は、既に記録した映像情報を再生するだけでなく、再生手順（プレイリストと呼ばれる）に従って、記録媒体に記録された映像情報の第１の範囲と第２の範囲を連続して再生する編集映像再生機能を備える。例えば、ＴＶで放映された映画を記録媒体に流し撮りし、その後、その映像を再生して不要となるＣＭ部分をスキップするように編集位置を指定する。すると、映画本体のみを再生するための再生手順が記録媒体に記録され、以後、その再生手順を指定すると、ＣＭ部分のない映画の再生を行うことができる。
【０００５】
しかしながら、ＭＰＥＧ方式による符号化技術は、動き補償予測と２次元ＤＣＴを組み合わせた方式であり、動き補償の予測効率を高めるための双方向予測や、編集やランダムアクセスを可能にするＧＯＰ（Group of Picture）構造を有している。
【０００６】
双方向予測を行うため、映像情報の各フレームは図１５に示すようにＩピクチャ（イントラ符号化画像）、Ｐピクチャ（順方向予測符号化画像）、Ｂピクチャ（双方向予測化画像）の３種類のフレームにより符号化される。Ｉピクチャは、画像の全てを同一フレーム内の画像データのみを用いて符号化するフレーム内符号化画像であり、自分自身の画像データのみで画像を再構成できる。Ｐピクチャは、時間的に後方（過去）にあるＩピクチャ又はＰピクチャに対する画像との動き補償、即ち動きベクトル及び差分を求めて符号化する画像である。Ｂピクチャは、時間的に後方のＩ又はＰピクチャに対する画像との順方向動き補償を行うと共に、時間的に前方（未来）のＰピクチャに対する画像と逆方向動き補償で得られた差分を比較演算し、差の少ない方を選択し、符号化する画像である。１つのＩピクチャと複数のＰピクチャとＢピクチャをまとめたものが、ＧＯＰと呼ばれる符号化の単位になる。
【０００７】
ＭＰＥＧエンコーダは、入力された映像情報を図１５（Ａ）に示す順序「−１Ｂ、０Ｂ、１Ｉ、２Ｂ、３Ｂ、４Ｐ、５Ｂ、６Ｂ、７Ｐ、８Ｂ、９Ｂ、１０Ｉ」で符号化し、デコード時に便利なように一部フレームの並び替えを行って出力する。即ち、（Ａ）に示す１Ｉピクチャを−１Ｂピクチャの前に配置し、４Ｐピクチャを２Ｂピクチャの前に配置して出力する。このように配置することにより、ＭＰＥＧデコーダは２Ｂピクチャ及び３Ｂピクチャをデコードするのに、必要な１Ｉピクチャと４Ｐピクチャを先にデコード処理することができる。
【０００８】
このようにＭＰＥＧ方式は、ＧＯＰ単位で符号化・復号化を行わなければならないので、ＧＯＰ単位の途中で編集が行われると、各接続点で映像をスムーズに連続再生できないという問題がある。
【０００９】
この理由を、図１６を用いて説明する。なお、図１６は、記録媒体に記録されている映像情報を複数のＶＯＢＵ＃１〜＃９で示したものである。なお、各ＶＯＢＵには一つのＧＯＰの映像情報が含まれている。以下、同図（Ａ）に示されるように映画情報の開始位置ａから第１編集位置ｂまでの映像１を再生し、続いて第２編集位置ｃからの映像２を再生するように編集されていた場合を例に説明する。
【００１０】
上述したようにＭＰＥＧ方式によれば、ＧＯＰの単位での符号化・復号化が行わるので、開始位置（ａ点）から第１編集位置（ｂ点）までの映像１を再生した後、映像３を再生するためには、ＶＯＢＵ＃６のフレームの先頭からデコード処理を行う必要がある。よって、従来の記録再生装置は、同図（Ｂ）に示されるようにＶＯＢＵ＃１の先頭フレームからＶＯＢＵ＃３の第１編集位置（ｂ点）のフレームまでを順次複合化して出力した後、ＶＯＢＵ＃６の先頭フレームからデコード処理を行うが、第２編集位置（ｃ点）までデコード結果を出力することはできないので、その間、ＶＯＢＵ＃３の最後のフレームを静止画出力する。そして、第２編集位置（ｃ点）のフレームのデコード処理が終了すると、この静止画出力を解除し、それ以降のフレームを順次デコード処理して出力する。
【００１１】
【発明が解決しようとする課題】
このように、従来の装置によれば、編集された映像を再生する場合、編集接続点で静止画出力を行い、編集映像の品質を著しく悪化させるという問題があった。また、静止画出力を行うためには、多くのフレームバッファを必要とし、コストアップを招く問題があった。本発明は上記課題に鑑み成されたものであり、その目的は、編集接続点でのスムーズな再生を可能とし、且つローコストの記録媒体再生装置を提供することにある。
【００１２】
【課題を解決するための手段】
上記課題を解決するため、請求項1に記載の本発明に係る記録媒体再生装置は、所定の符号化単位をもって符号化され、記録媒体に記録された記録情報の第１の範囲と第２の範囲を接続して再生可能な記録媒体再生装置において、前記第１の範囲の後部の記録情報をデコード処理するサブデコーダ手段と、前記後部を除く前記第１の範囲の記録情報および前記第２の範囲の記録情報をデコード処理するメインデコーダ手段と、を備えることを特徴とする。
【００１３】
請求項２に記載の本発明に係る記録媒体再生装置は、請求項１に記載の記録媒体再生装置であって、前記サブデコーダは、前記メインデコーダが前記第１の範囲の記録情報をデコード処理している間に、前記第１の範囲の後部の記録情報を直ちにデコード処理できるよう待機状態とされ、前記メインデコーダは、前記サブデコーダが前記第１の範囲の後部の記録情報のデコード処理を行っている間に、前記第２の範囲の記録情報を直ちにデコード処理できるよう待機状態とされることを特徴とする。
【００１４】
請求項３に記載の本発明に係る記録媒体再生装置は、所定の符号化単位をもって符号化され、記録媒体に記録された記録情報の第１の範囲と第２の範囲を接続して再生可能な記録媒体再生装置において、前記第２の範囲の前部の記録情報をデコード処理するサブデコーダ手段と、前記第１の範囲の記録情報および前記前部を除く前記第２の範囲の記録情報をデコード処理するメインデコーダ手段と、を備えることを特徴とする。
【００１５】
請求項４に記載の本発明に係る記録媒体再生装置は、請求項３に記載の記録媒体再生装置であって、前記サブデコーダは、前記メインデコーダが前記第１の範囲の記録情報をデコード処理している間に、前記第２の範囲の前部の記録情報を直ちにデコード処理できるよう待機状態とされ、前記メインデコーダは、前記サブデコーダが前記第２の範囲の前部の記録情報のデコード処理を行っている間に、前記前部に続く前記第２の範囲の記録情報を直ちにデコード処理できるよう待機状態とされることを特徴とする。
【００１６】
請求項５に記載の本発明に係る記録媒体再生装置は、請求項１乃至４の何れか一に記載の記録媒体再生装置であって、前記記録情報を前記記録媒体に記録する記録手段を備え、前記サブデコーダは記録時に前記記録情報を前記所定の符号化単位をもってデコードするエンコーダとして機能することを特徴とする。
【００１７】
請求項６に記載の発明に係る情報記録媒体は、コンピュータを、所定の符号化単位をもって符号化され、記録媒体に記録された記録情報の第１の範囲と第２の範囲を接続して再生可能な記録媒体再生装置として機能させることを特徴とする制御プログラムが前記コンピュータで読取可能に記録されている情報記録媒体において、前記コンピュータを、前記第１の範囲の後部の記録情報をデコード処理するサブデコーダ手段と、前記後部を除く前記第１の範囲の記録情報および前記第２の範囲の記録情報をデコード処理するメインデコーダ手段と、して機能させることを特徴とする制御プログラムが前記コンピュータで読取可能に記録されていることを特徴とする。
【００１８】
請求項７に記載の発明に係る情報記録媒体は、コンピュータを、所定の符号化単位をもって符号化され、記録媒体に記録された記録情報の第１の範囲と第２の範囲を接続して再生可能な記録媒体再生装置として機能させることを特徴とする制御プログラムが前記コンピュータで読取可能に記録されている情報記録媒体において、前記コンピュータを、前記第２の範囲の前部の記録情報をデコード処理するサブデコーダ手段と、前記第１の範囲の記録情報および前記前部を除く前記第２の範囲の記録情報をデコード処理するメインデコーダ手段と、して機能させることを特徴とする制御プログラムが前記コンピュータで読取可能に記録されていることを特徴とする。
【００１９】
【発明の実施の形態】
次に、本発明に好適な実施の形態について説明する。尚、以下に説明する実施の形態は、映像情報（音声情報を含む）をＤＶＤ−ＲＷ（以下、光ディスク１と記す）に対して記録再生可能な記録再生装置５０について説明するものである。
【００２０】
先ず、記録再生装置５０に用いる光ディスク１の記録フォーマット（物理的記録フォーマット）について図１を用いて説明する。
光ディスク１は、その最内周部にリードインエリアＬＩを有すると共にその最外周部にリードアウトエリアＬＯを有している。また、それら間には、映像情報が夫々ＩＤ（識別）番号を有する複数のビデオ・タイトル・セット（ＶＴＳ＃１〜ＶＴＳ＃ｎ）に分割されて記録されている。ここで、ＶＴＳは、関連する（音声、サブピクチャのストリーム数や、仕様、対応言語等の属性が同じ）タイトル（映画等の製作者が視聴者に提供しようとする一つの作品）を一まとめにしたセット（まとまり）である。具体的には、例えば一本の同じ映画について異なる言語の複数の映画に対して夫々タイトルを記録したり、同じ映画であっても劇場版と特別版とを夫々別のタイトルとして記録することができる。
【００２１】
また、リードインエリアＬＩとリードアウトエリアＬＯの間には、ビデオ・マネージャ（ＶＭＧ）が記録される。なお、同図において、ＶＭＧはＶＴＳの前に置かれているが、ファイルシステムによっては、ＶＭＧは必ずしもこの位置に記録されるとは限らない。このＶＭＧに記録される情報は、例えば各タイトルの名前を示すメニューや、違法コピー防止のための情報、又は夫々のタイトルにアクセスするためのアクセステーブル等、当該光ディスク１に記録される映像情報及び音声情報の全体に係わる情報が記録される。また、後述する再生手順のデータは、当該ＶＭＧに記録される。
【００２２】
ＶＴＳには、コントロールデータを先頭に、夫々にＩＤ番号を有する複数のビデオ・オブジェクト（ＶＯＢ）に分割されて記録される。ここで、複数のＶＯＢにより構成されている部分をビデオ・オブジェクト・セット（ＶＯＢＳ）という。このＶＯＢＳは、ＶＴＳを構成する他のデータであるコントロールデータと、映像情報および音声情報の実体である複数のＶＯＢの部分と区別するために当該実体部分についてＶＯＢＳとしている。ＶＯＢの先頭に記録されるコントロールデータには、複数のセルを組合わせた論理的区分であるプログラムチェインに関する種々の情報であるプログラム・チェイン・インフォメーション（ＰＧＣＩ）等の情報が記録される。また、各ＶＯＢには、制御情報の他に映像情報及び音楽情報の実体部分（制御情報以外の映像又は音声そのもの）が記録される。更に、ＶＯＢは、夫々にＩＤ番号を有する複数のセルにより構成されている。また、ＶＯＢは、複数のセルにより完結するように構成されている。
【００２３】
セルには、夫々にＩＤ番号を有する複数のビデオ・オブジェクト・ユニット（ＶＯＢＵ）により構成されている。ここで、ＶＯＢＵとは、映像情報及び副映像情報（映画における字幕等の副映像の情報をいう）の夫々を含む情報単位である。一つのＶＯＢユニットは、映像情報を有するビデオパック（Ｖ＿ＰＣＫ）と、音声情報を有するオーディオパック（Ａ＿ＰＣＫ）と、副映像情報を有するサブピクチャパック（ＳＰ＿ＰＣＫ）とにより構成されている。また、ＶＯＢＵに含まれるビデオデータは、１又は１以上のＧＯＰにより構成されている。
【００２４】
次に、図２を用いて本発明の実施形態による記録再生装置５０の構成を説明する。
記録再生装置５０は、光ディスク１に映像情報を記録するために用いる光学ピックアップ２と、アナログ信号をデジタル信号に変換するＡ／Ｄコンバータ３と、スイッチ４と、記録時にＭＰＥＧエンコーダとして機能し、再生時にＭＰＥＧサブデコーダ手段として機能するデコード処理機能付きエンコーダ５と、スイッチ６と、記録バッファ７と、記録エンコーダ８と、記録回路９と、光学ピックアップ２と、再生回路１０と、再生デコーダ１１と、ストリームバッファ１２と、ＭＰＥＧメインデコーダ手段として機能するメインデコーダ１３と、スイッチ１４と、Ｄ／Ａコンバータ１５と、光ディスク１を回転駆動するスピンドルモータ１６と、光ディスク１の回転制御及び光ビームのトラッキングエラーやフォーカスエラーの制御を行うサーボ回路１７と、操作指令を行う操作部１８と、動作の制御を司るコントローラ１９と、編集点を設定するためのオンスクリーン画像を生成するためのオンスクリーンデータ生成回路２０等により構成されている。また、コントローラ１９には、再生手順等を一時的に記憶するためのメモリ１９ａが設けられている。なお、同図破線内に示された構成は情報記録部Ｒを構成し、一点鎖線内に示された構成は情報再生部Ｐを構成している。
【００２５】
次に、エンコーダ５の詳細構成と動作を、図３を用いて説明する。なお、エンコーダ５は、ＤＳＰ（Digital Signal Processor）で構成されており、コントローラ１９からの制御信号により、記録時、映像情報をＭＰＥＧ方式に基づき符号化するエンコーダ回路として機能し、再生時、かかる符号化された映像情報を複合化するサブデコーダ回路として機能する。なお、エンコーダ５は、サブデコーダ回路として機能するとき、デコード処理の実行（プレイ）、一時停止（ポーズ）、停止（ストップ）等、エンコード処理に必要な最小限の機能のみ備え、早送り再生等、トリックプレイ時における映像情報のエンコード処理を行うことはできない。よって、ここではエンコーダ回路としての構成を説明し、デコータ回路としての基本構成は後述するメインデコーダ１３と同一であるので、その説明を省略する。
【００２６】
図３に示されるように、エンコーダ５は、加算器５ａと、ＤＣＴ（離散コサイン変換）部５ｂと、量子化部５ｃと、逆量子化部５ｄと、可変長符号化部５ｅと、逆ＤＣＴ部５ｆと、動き検出部５ｇと、動き補償予測部５ｈと、レート制御部５ｊとで構成されている。入力されたデジタル情報信号Ｓｄは、動き検出部５ｇへ入力されると共に、加算器５ａへ入力される。そして、動き検出部５ｇにおいて、デジタル情報信号Ｓｄ内の各フレームについて、後述する動きベクトルが算出され、対応するベクトル信号Ｓｖが動き補償予測部５ｈへ出力される。なお、デジタル情報信号Ｓｄのうち画像情報については複数のフレーム画像により構成されており、各フレームを構成する画素毎にデジタル化されている。
【００２７】
ここで、動きベクトルについて説明すると、当該動きベクトルは、ＭＰＥＧ方式に基づいた動画像の圧縮時において実行される動き補償処理に用いられるものである。即ち、当該動き補償処理においては、先ず、符号化する画像を予め設定された所定数の画像を含むマクロブロックに分割し、各々のマクロブロック内の各画素と、時間軸上で前又は後ろの何れか一方のフレーム内の対応する画素との差分の絶対値をマクロブロック内の全ての画素について加算した絶対値和が最小となる画像（即ち、当該マクロブロック内の画像に最も近い、当該前又は後ろの何れか一方のフレーム内の画像）の空間的な位置を求める。そして、当該マクロブロックとそれに最も近い画像との移動関係を上記動きベクトルとし、この動きベクトルを当該前又は後ろの何れか一方のフレーム内の画像を示す情報として符号化する。これにより、実際に符号化する情報量を、画像情報そのものをそのまま符号化する場合に比して相当量圧縮でき、当該画像情報を符号化することができるのである。
【００２８】
次に、加算器５ａへ出力されたデジタル情報信号Ｓｄは、当該加算器５ａにおいて動き補償予測部５ｈからの補償信号Ｓｅが減算され、減算信号ＳａとしてＤＣＴ部５ｂへ出力される。ＤＣＴ部５ｂは、当該減算信号Ｓａに対して公知の技術により情報量の圧縮のためのＤＣＴを施し、変換信号Ｓｄｃとして量子化部５ｃへ出力する。量子化部５ｃは、当該変換信号Ｓｄｃを後述するレート信号Ｓｒｒで示されるビットレートに適合するように量子化し、量子化信号Ｓｑを生成して可変長符号化部５ｅ及び逆量子化部５ｄへ出力する。逆量子化部５ｄは、量子化信号Ｓｑに対して逆量子化処理を施し、逆量子化信号Ｓｉｑを生成して逆ＤＣＴ部５ｆへ出力する。そして、逆ＤＣＴ部５ｆは、逆量子化信号Ｓｉｑに対して公知の技術により逆ＤＣＴ（逆離散コサイン変換）を施し、逆変換信号Ｓｉｄとして動き補償予測部５ｈへ出力する。
【００２９】
その後、動き補償予測部５ｈは、上述したベクトル信号Ｓｖ内に含まれる動きベクトルと逆変換信号Ｓｉｄとに基づいて、ＭＰＥＧ方式におけるいわゆるフレーム間予測を用いた動き補償処理を行ない、情報量の圧縮のための上記補償信号Ｓｅを生成して加算器５ａに出力する。
【００３０】
一方、可変長符号化部５ｅは、上記量子化信号Ｓｑに対して可変長エンコード処理を施し、元のデジタル情報信号ＳｄをＭＰＥＧ２方式で圧縮・符号化した信号である上記圧縮情報信号Ｓｐｄを、スイッチ６を介して記録バッファメモリ７に出力する。この時、レート制御部５ｊは、当該圧縮情報信号Ｓｐｄに基づいて、量子化部５ｃにおける量子化の際のビットレートを最適化するための上記レート信号Ｓｒｒを生成して当該量子化部５ｃに出力する。
【００３１】
次に、符号化された映像情報を複合化するメインデコーダ回路として機能するメインデコーダ１３の詳細構成と動作を、図４を用いて説明する。なお、このメインデコーダ１３は、上述したエンコーダ５によるサブデコーダ回路とは異なり、トリックプレイ時における映像情報等、全てのモード時における映像情報のエンコード処理を行うことができる機能を備えている。
【００３２】
メインデコーダ１３は、可変長復号化部１３ａと、逆量子化部１３ｂと、逆ＤＣＴ部１３ｃと、加算器１３ｄと、動き補償予測部１３ｅとによって構成されている。入力されたストリーム信号Ｓｄｄは、可変長復号化部１３ａにおいて、動き補償予測１３ｅからのベクトル信号Ｓｖに含まれている上記動きベクトルに基づいて可変長デコード処理が施され、上記量子化信号Ｓｑとして逆量子化部１３ｂへ出力される。そして、逆量子化部１３ｂは、上記逆量子化部５ｄと同様に、量子化信号Ｓｑに対して逆量子化処理を施し、上記変換信号Ｓｄｃを生成して逆ＤＣＴ部１３ｃへ出力する。
【００３３】
逆ＤＣＴ部１３ｃは、逆ＤＣＴ部５ｆと同様に、変換信号Ｓｄｃに対して公知の技術により逆ＤＣＴを施し、上記減算信号Ｓａとして加算器１３ｄへ出力する。そして、当該減算器１３ｄにおいて動き補償予測部１３ｅからの上記補償信号Ｓｅが加算され、上記伸長信号Ｓｏとしてスイッチ１４を介してＤ／Ａコンバータ１５へ出力される。この時、動き補償予測部１３ｅは、伸長信号Ｓｏに対して動き補償処理を行い、上記動きベクトルを検出してベクトル信号Ｓｖとして可変長復号化部１３ａへ出力すると共に、上記補償信号Ｓｅを生成して加算器１３ｄに出力する。
【００３４】
次に、本実施形態の記録再生装置５０の動作を説明する。
上述したように、記録再生装置５０は、光ディスク１に対する映像情報の記録再生機能と、再生した映像情報を見ながらプレイリストの編集を行い、このプレイリストを光ディスク１に記録する編集記録機能と、このプレイリストに従って編集映像を再生する編集映像再生機能を有しているので、これら動作について個々に説明する必要がある。そこで、先ず、記録再生動作を説明した後、プレイリストの編集記録動作を説明し、その後に編集映像の再生動作を説明することにする。
【００３５】
先ず、記録再生装置５０による記録動作において、外部から記録すべき映像情報に対応する情報信号Ｓｉｎ（アナログ信号）が入力されてくると、Ａ／Ｄコンバータ３は当該情報信号Ｓｉｎをデジタル化し、デジタル情報信号Ｓｄをスイッチ４を介してエンコーダ５へ出力する。エンコーダ５は、コントローラ１９から出力される制御信号Ｃ１に基づき上述したＭＰＥＧ方式に準拠して、入力されてくるデジタル情報信号ＳｄをＧＯＰ単位で圧縮・符号化し、圧縮情報信号Ｓｐｄをスイッチ６を介して記録バッファメモリ７へ出力する。尚、記録時、スイッチ４及びスイッチ６は、コントローラ１９からの切替え信号Ｃ７により端子Ｒ側に設定されている。
【００３６】
記録バッファメモリ７は、入力された圧縮情報信号Ｓｐｄを一時的に記憶し、また蓄積された圧縮情報信号Ｓｐｄのデータ量を示すデータ量信号Ｓｍｒを常にコントローラ１９に出力する。記録エンコーダ８は、コントローラ１９から出力される制御信号Ｃ２に基づいて、一時的に記録バッファ７に記録されている圧縮情報信号Ｓｐｄを読出し、これに所定の信号処理（ＤＶＤフォーマット変換、エラー訂正、インターリーブ、スクランブル処理等）を行い、エンコード信号Ｓｅｄを記録回路９に出力する。記録回路９は、コントローラ１９から出力される制御信号Ｃ３に基づいて、エンコード信号Ｓｅｄを記録信号Ｓｒに変換し、光学ピックアップ２へ出力する。
【００３７】
光学ピックアップ２は、記録回路９から出力された記録信号Ｓｒに基づいて、光ディスク１の情報記録面に照射し、当該記録信号Ｓｒに対応する相変化ピットを光ディスク１上に形成する。この時、当該光ディスク１は、スピンドルモータ１６により所定の線速度で回転駆動されている。
【００３８】
次に、記録再生装置５０による再生動作の説明する。
光学ピックアップ２は、一定光量の光ビームを光ディスク１上に照射し、その反射光に基づき、光ディスク１上に形成されている相変化ピットに対応するＲＦ信号Ｓｐを再生回路１０に出力する。再生回路１０は、コントローラ１９から出力される制御信号Ｃ４に基づいて、ＲＦ信号Ｓｐを増幅すると共にその波形を整形し、再生信号Ｓｐｐを再生デコーダ１１に出力する。再生デコーダ１１は、コントローラ１９から出力される制御信号Ｃ５に基づいて、再生信号Ｓｐｐを信号処理し、ストリーム信号Ｓｄｄをストリームバッファ１２へ出力する。
【００３９】
ストリームバッファ１２は、ストリーム信号Ｓｄｄを一時的に記憶するバッファの役割を果たし、またストリーム信号Ｓｄｄのデータ蓄積量を示すデータ量信号Ｓｍｐを常にコントローラ１９に出力する。メインデコーダ１３は、コントローラ１９から出力される制御信号Ｃ６に基づきストリームバッファ１２からストリーム信号Ｓｄｄを順次読み出し、ＭＰＥＧ方式に基づく伸張・デコード処理を施し、伸長信号Ｓｏをスイッチ１４を介してＤ／Ａコンバータ１５に出力する。そして、Ｄ／Ａコンバータ１５は、伸長信号Ｓｏをアナログ変換し、出力信号Ｓｏｕｔを装置外部のＴＶモニタ（図示しない）に出力する。尚、スイッチ１４は、再生時、コントローラ１９からの切替え信号Ｃ７により端子Ｐ１側に設定されている。
【００４０】
次に、記録再生装置５０によるプレイリストの記録動作の説明をする。なお、本実施形態による記録再生装置５０は、使用者が個別に映像の編集を行う個別編集機能を有し、操作部１８に、例えば映像情報のタイトル名を変更する「タイトル名変更釦」や、Ａの映像からＢの映像まで消去する「Ａ−Ｂ消去釦」や、編集結果を決定する「決定釦」等が設けられている。
【００４１】
図５は、光ディスク１に記録された映像情報とＶＯＢＵの関係を示し、ＴＶで放映された映画を光ディスク１に記録し、これを再生する際に、映像１（第１の範囲）と映像２（第２の範囲）との間にある不要なＣＭを消去し、これら映像を連続して再生するように編集する場合を例に示している。
【００４２】
映像１と映像２との間のＣＭを消去（スキップ）する場合、操作者は、操作部１８の「編集釦」を操作して、表示部に表示されたプレイリストの編集画面の中から「Ａ−Ｂ消去釦」を選択する。すると、オンスクリーンデータ生成部２０により消去する範囲の開始と終了を設定するため表示データが生成され、装置外部のＴＶモニタ上にオンスクリーン表示される。よって、操作者はこの表示画面を見て、第１編集位置（ｂ点）及び第２編集位置（ｃ点）を設定する。これら設定が完了すると、コントローラ１９はこれら編集位置情報を含むプレイリストを記録エンコーダ８に出力し、ディスク１の所定エリアに記録する。
【００４３】
次に、記録再生装置５０による編集映像の再生動作の説明をする。
尚、図５は編集映像の再生動作を示すタイミング図、図６は主にサブデコード処理機能付きエンコーダ５（以下、デコード処理用として用いるのでサブデコーダ５と記す）の動作制御を司るサブ動作フロー図、図７は主にメインデコーダ１３の動作制御を司るメイン動作フロー図である。これら図６および図７に示される動作フローは、予め図示しないＲＯＭに記録されている動作プログラムを示し、編集映像を再生すべく操作部１８が操作されると、これらの動作フローに基づき各動作制御が行われる。また、図８はストリームバッファ１２に記憶されたＶＯＢＵの変化を示し、図９は動作開始時における各スイッチの切り換え状態を示している。なお、本実施形態において、各ＶＯＢＵには１つのＧＯＰを含むものとする。
【００４４】
先ず、コントローラ１９は、図７に示されるステップＳ１によりセルＩＤ＃１の先頭に対応するＶＯＢＵ＃−ｎ（図５）の再生を開始させ、得られたストリーム信号Ｓｄｄをストリームバッファ１２に書込む。よって、以後、ストリームバッファ１２内には図８（Ａ）に示されるイメージで各ＶＯＢＵが記憶されることになる。
【００４５】
次いでコントローラ１９は、ステップＳ２により書込んだストリーム信号Ｓｄｄをメインデコーダ１３に供給して映像１のデコード処理を開始させ、ステップＳ３により映像１の開始位置ａ（図１０）までデコード処理が終了するのを待つ。開始位置ａまでのデコード処理が終了すると（ステップＳ３：ＹＥＳ）、コントローラ１９は、ステップＳ４によりサブデコーダ５が動作中であるか否かを監視する。当然、未だサブデコーダ５は動作していないため（ステップＳ４：ＮＯ）、コントローラ１９は、ステップＳ８によりスイッチ１４を端子Ｐ１側に切り換え、以後ステップＳ９によりメインデコーダ１３のデコード処理を制御する。よって、以後、メインデコーダ１３によりデコード処理された映像１が装置外部のＴＶモニタに供給され、ＴＶモニタ上に表示されることになる。
【００４６】
次いで、コントローラ１９は、ステップＳ１０よりメインデコーダ１３がセル終了間際（本実施形態によれば、セルＩＤ＃１の終端に対応するＶＯＢＵ＃３より４つ前のＶＯＢＵ＃−１）までデコード処理が進むのを待つ。図１２に示されるように、ＶＯＢＵ＃−１のデコード処理に入ったことを検出すると（ステップＳ１０：ＹＥＳ）、コントローラ１９は、先ずステップＳ１１により継続セルがあるか否かを判断する。図５に示されるように、後続セルＩＤ＃３があるので（ステップＳ１１：ＹＥＳ）、コントローラ１９は、ステップＳ１２により、サブデコーダ５の起動要求を発行し、ステップＳ１３によりサブデコーダ５がポーズ状態に入るのを待つ。
【００４７】
また、編集映像の再生動作時、コントローラ１９は同時に図６に示されるサブ動作フローに基づく制御を行っている。コントローラ１９は、ステップＳ２１においてメイン動作フローから起動要求を待っており、上述したようにしてメイン動作フローにより起動要求が発行されると、サブ動作フローをステップＳ２２に進み、スイッチ４（図２）を端子Ｐ側に切換える。そして、メインデコーダ１３が現在デコード処理しているＶＯＢＵ＃−１より一つ先のＶＯＢＵ＃０をサブデコーダ５に供給してサブデコーダ５をポーズ状態とし、ステップＳ２３においてメイン動作フローからの再開要求を待つ。なお、ここでポーズ状態とは、デコーダにデコード処理すべきデータを供給し、デコーダがそのデータを直ちにデコード出力ができる待機状態のことを指す。
【００４８】
このようにしてサブデコーダ５がポーズ状態に入ると、コントローラ１９は、メイン動作フローをステップＳ１４に進み、メインデコーダ１３のデコード処理がサブデコーダ５のポーズ位置まで進むのを待つ。メインデコーダ１３がＶＯＢＵ＃−１のデコード処理を終了し、サブデコーダ５のポーズ位置まで進むと（ステップＳ１４：ＹＥＳ）、コントローラ１９は、ステップＳ１５によりスイッチ１４を端子Ｐ２側に切り換え（図１１）、ステップＳ１６によりサブデコーダ５に再開要求を発行する。メイン動作フローにより再開要求が発行されると、コントローラ１９はサブ動作フローをステップＳ２４に進み、サブデコーダ５をプレイ状態として映像１の後部となるＶＯＢＵ＃０以後のデコード出力を開始させる。よって、以後、サブデコーダ５によりデコード処理されたＶＯＢＵ＃０以後の映像１が、メインデコーダ１３によりデコード処理されたＶＯＢＵ＃−１までの映像１に引き続いて、装置外部のＴＶモニタ上に表示されることになる。そして、コントローラ１９はステップＳ２５において、サブデコーダ５によるデコード処理を継続させると共に、ステップＳ２６によりセルの終了時刻を待つ。
【００４９】
また、コントローラ１６は、メイン動作フローにおいて再開要求を発行した後、ステップＳ１７でメインデコーダ１３のデコード処理を停止させ、ステップＳ１８によりメインデコーダ１３へのストリーム信号Ｓｄｄの開始位置を後続するセルＩＤ＃３の先頭に対応するＶＯＢＵ＃６（図５）とする。そして、上述したステップＳ２に戻り、ＶＯＢＵ＃６をメインデコーダ１３へ供給してデコード処理を開始させ、ステップＳ３により映像３の開始位置ｃまでデコード処理が終了するのを待つ。図５（Ａ）に示される開始位置ｃに至ったことを判断すると（ステップＳ３：ＹＥＳ）、コントローラ１９は、ステップＳ４によりサブデコーダ５が動作中であるか否かを監視する。
【００５０】
上述したように、現在サブデコーダ５は動作中であるので（ステップＳ４：ＹＥＳ）、コントローラ１９は、ステップＳ５によりメインデコーダ１３をポーズ状態とし、ステップＳ６によりサブ動作フローからの再開要求を待つ。
【００５１】
コントローラ１９は、サブ動作フローのステップＳ２６によりセルＩＤ＃１の終了時刻を検出すると、メインデコーダ１３に対して再開要求を発行し、ステップＳ２８によりサブデコーダ５のデコード動作を停止させ、以後、上述したステップＳ２１に戻る。サブ動作フローにより再開要求が発行されると（ステップＳ６：ＹＥＳ）、コントローラ１９は、ステップＳ７によりメインデコーダ１３のデコード処理を再開させ、ステップＳ８によりスイッチ１４を端子Ｐ１側に切り換え、以後ステップＳ９によりメインデコーダ１３のデコード処理を制御する。よって、以後、メインデコーダ１３によりデコード処理された映像３が途切れ目なく装置外部のＴＶモニタに供給され、ＴＶモニタ上に表示されることになる。
【００５２】
そして、コントローラ１９は、セルＩＤ＃３の終了間際になると（ステップＳ１０：ＹＥＳ）、ステップＳ１１により後続セルがないため（ステップＳ１１：ＮＯ）、ステップＳ１９によりセルＩＤ＃３の終了位置を待ち、ステップＳ２０によりメインデコーダ１３のデコードを停止させ、上述した一連の編集映像の再生動作制御を終了する。
【００５３】
以上説明したように、本発明の実施形態による記録再生装置５０によれば、編集映像の再生を行うに際し、映像１の後部の記録情報を、エンコーダ５に備えられたデコード処理機能を用いてデコード処理したので、映像１と映像２を途切れ間なくデコード処理して表示することができる。また、エンコーダ５のデコード処理機能を用いたので、高価なメインデコーダを新たに設ける必要がなく、コストアップを最小限に押さえることができる。
【００５４】
なお、本発明は上述した実施形態に限定されるものではない。例えば、上述した実施形態によれば、図１２に示されるように、メインデコーダ１３がセルＩＤ＃１の後端に対応するＶＯＢＵ＃３より４つ前のＶＯＢＵ＃−１）になると、次のＶＯＢＵ＃０をサブデコーダ５に供給してＶＯＢＵ＃０の先頭にてポーズ状態としたが、図１３に示されるように、メインデコーダ１３がＶＯＢＵ＃１になると、次のＶＯＢＵ＃０をサブデコーダ５に供給してＶＯＢＵ＃０の先頭にてポーズ状態とする等、どのＶＯＢＵからサブデコーダ５にデコード処理を負担させるのかに限定されるものではない。但し、上述したようにサブデコーダ５の機能が最小限であることを考慮すると、サブデコーダ５によるデコード処理期間をできるだけ短くし、トリックプレイ操作が行われた時、映像が乱れる期間をできるだけ短くすることが望ましい。
【００５５】
また、上述した実施形態によれば、第１の範囲を示すセルＩＤ＃１の後部のＶＯＢＵをサブデコーダ５によりデコード処理させ、この間にメインデコーダ１３に次のセルＩＤ＃３の前部のＶＯＢＵのデーダを供給して編集位置ｃにてポーズ状態とさせたが、図１４に示されるように、セルＩＤ＃１の終端近くになると、サブデコーダ５に第２の範囲を示す次のセルＩＤ＃３の前部のデータを供給して編集位置ｃにてポーズ状態とし、メインデコーダからサブデコーダにデコード処理を移行させても良い。この場合にも、サブデコーダ５がセルＩＤ＃３の前部のデータのデコード処理を行っている間に、メインデコーダにその先のＶＯＢＵ、例えばＶＯＢＵ＃８のデータを供給してＶＯＢＵ＃８の先端でポーズ状態とし、ＶＯＢＵ＃８においてサブデコーダからメインデコーダにデコード処理を引き継ぐようにしても良い。
【００５６】
また、上述した実施形態によれば、記録媒体にＤＶＤ−ＲＷを用いたが、ＤＶＤ−ＲＡＭ等、他の光ディスクやハードディスク等、各種記録媒体を用いることができる。また、記録情報はＭＰＥＧ方式に基づき圧縮・符号化された映像信号であったが、他の符号化方式により符号化されていてもよく、音声信号等、映像信号以外の記録情報であっても良い。また、図１に示される記録フォーマットに限定されるものでもない。
【００５７】
更に、図６および図７に示されるフローチャートに対応する制御プログラムを情報記録媒体としてのフレキシブルディスクや光ディスク又はハードディスク等に記録しておき、これをパーソナルコンピュータ等で読み出して実行することにより、当該コンピュータのＣＰＵを上述したコントローラ１９とし、当該コンピュータを上述した記録媒体再生装置５０として機能させることもできる。
【００５８】
【発明の効果】
本発明によれば、各接続点でのスムーズな再生ができる。また、従来必要であったフレームバッファが不要であり、コストダウン効果を得ることができる。
【図面の簡単な説明】
【図１】本発明を適用した記録再生装置５０に用いる光ディスクの記録フォーマット図。
【図２】本発明を適用した記録再生装置５０のブロック回路図。
【図３】エンコーダ５のブロック回路図。
【図４】メインデコーダ１３のブロック回路図。
【図５】記録再生装置５０の編集映像の再生動作説明に供するタイミング図。
【図６】エンコーダ５への動作制御を示すサブ動作フローチャート。
【図７】メインデコーダ１３への動作制御を示すメイン動作フローチャート。
【図８】ストリームバッファ１２に記憶されたＶＯＢＵの変化を示す図。
【図９】編集映像の再生開始時における各スイッチの切り換え状態を示す図。
【図１０】編集映像の再生開始時におけるタイミング図。
【図１１】編集映像の再生途中における各スイッチの切り換え状態を示す図。
【図１２】編集映像の接続点におけるタイミング図。
【図１３】本発明の第１の変形例を示すタイミング図。
【図１４】本発明の第２の変形例を示すタイミング図。
【図１５】ＭＰＥＧ方式の動作説明に供する図。
【図１６】従来の装置における編集映像の再生時におけるタイミング図。
【符号の説明】
１・・・光ディスク
２・・・ピックアップ
３・・・Ａ／Ｄコンバータ
４、６、１４・・・スイッチ
５・・・デコード処理機能付きエンコーダ５（サブデコーダ手段）
７・・・記録バッファ
８・・・記録エンコーダ
９・・・記録回路
１０・・再生回路
１１・・再生デコーダ
１２・・ストリームバッファ
１３・・メインデコーダ（メインデコーダ手段）
１５・・Ｄ／Ａコンバータ
１８・・操作部
１９・・コントローラ
【図１】
0003920561.tif 000002
【図２】
0003920561.tif 000003
【図３】
0003920561.tif 000004
【図４】
0003920561.tif 000005
【図５】
0003920561.tif 000006
【図６】
0003920561.tif 000007
【図７】
0003920561.tif 000008
【図８】
0003920561.tif 000009
【図９】
0003920561.tif 000010
【図１０】
0003920561.tif 000011
【図１１】
0003920561.tif 000012
【図１２】
0003920561.tif 000013
【図１３】
0003920561.tif 000014
【図１４】
0003920561.tif 000015
【図１５】
0003920561.tif 000016
【図１６】
0003920561.tif 000017